(57)【要約】      （修正有）【課題】指圧に適した大きさと硬さに形成した球体によって、ツボ及び筋肉に指圧を施すことで、高い指圧効果を得るボール指圧器を提供する。【解決手段】弾性材料からなる球体１と、上面に凹部２ａを有する台座２とからなり、球体を台座の凹部に着脱自在に嵌合し、球体の一部を台座より突出させる。弾性材料は硬度４０〜５０度とし、球体の直径を７５ｍｍ〜８５ｍｍとすることで、指圧に最適な硬さと大きさの指圧ボールとなる。【選択図】図１
0003197434.tif 000002
【実用新案登録請求の範囲】
【請求項１】
弾性材料からなる球体と、上面に凹部を有する台座とからなり、前記球体を前記台座の凹部に着脱自在に嵌合し球体の一部を台座より突出させることを特徴とするボール指圧器。
【請求項２】
前記球体は、直径が７５ｍｍ以上かつ８５ｍｍ未満となるよう形成したことを特徴とする請求項１記載のボール指圧器。
【請求項３】
前記弾性材料は、硬度がＪＩＳ−Ａ規格で４０度以上かつ５０度未満である弾性材料からなることを特徴とする請求項１記載のボール指圧器。
【請求項４】
前記球体は、直径が７５ｍｍ以上かつ８５ｍｍ未満となるよう形成し、かつ、前記弾性材料は、硬度がＪＩＳ−Ａ規格で４０度以上かつ５０度未満である弾性材料からなることを特徴とする請求項１記載のボール指圧器。
【請求項５】
前記弾性材料は、ウレタンゴムであることを特徴とする請求項１〜３のいずれか１項に記載のボール指圧器。
【請求項６】
前記ウレタンゴムは、変性ポリオールを主剤及び調整剤とし、硬化剤としてＭＤＩプレポリマーを混合したことを特徴とする請求項５に記載のボール指圧器。
【請求項７】
前記台座は、前記凹部の外周縁から台座の下部へ向かって緩やかに下る曲面をなす山型形状であることを特徴とする請求項１〜６のいずれか１項に記載のボール指圧器。
【考案の詳細な説明】
【技術分野】
【０００１】
本考案は、指圧に適した大きさと硬さに形成した球体によって、ツボ及び筋肉に指圧を施すボール指圧器に関する。
【背景技術】
【０００２】
従来、この種のボール指圧器として、球体の材質は、金属、ゴム、木など様々なものを採用でき、例えば木製の球体で指圧する特開２００５−３２３９４８号が公知である。また、球体を台座に設置したものとして、特許第５４６２９８０号が公知である。
【先行技術文献】
【特許文献】
【０００３】
【特許文献１】特開２００５−３２３９４８号公報
【特許文献１】特許第５４６２９８０号公報
【考案の概要】
【考案が解決しようとする課題】
【０００４】
近年の健康志向の高まりにより、マッサージボールを使用し、一人で手軽に疲労を解消しようとする人が増えている。しかしながら、現在市場に流通するマッサージボールは、使用者が握りやすいように直径が７５ｍｍ以下で形成されるのが一般的であり、肩、顔、首等にボールを手で押し当てて指圧するには便利な大きさであるが、太腿、腰、背中等をボールに体重をかけて指圧するような場合には大きさが不十分であり、指圧効果に乏しいものであった。
【０００５】
また、特開２００５−３２３９４８号公報において、直径７０ｍｍ〜１００ｍｍの木製の球体によって指圧する指圧具が提案されているが、直径７０ｍｍ近傍では太腿、腰、背中等を指圧するのに大きさが不十分であり、直径１００ｍｍ近傍では指圧範囲が大きくなるため押圧力が分散され指圧効果に乏しくなる。よって、指圧効果をより高めるためには、球体の大きさを更に限定する必要があった。
【０００６】
また、指圧に使用するボールの硬さは、硬すぎれば、指圧部位に痛みや腫れを生じさせる原因となり、柔らかすぎれば、押圧により球体が変形することにより押圧力が減殺され、十分な指圧効果が発揮されない。したがって、指圧に適切な硬度で形成することが必要である。木製の球体によれば、押圧時に球体は一切変形しないため指圧部位に負荷がかかり、痛みや腫れを生じさせるおそれがあった。
【０００７】
そこで、本考案は、太腿や腰、背中等の指圧に最適な大きさと硬さで形成され、押圧による指圧効果を最大限に発揮する球体を備えたボール指圧器を提供するものである。
【課題を解決するための手段】
【０００８】
上記の目的を達成するために、請求項１の考案は、弾性材料からなる球体と、上面に凹部を有する台座とからなり、前記球体を前記台座の凹部に着脱自在に嵌合し球体の一部を台座より突出させることを特徴とするボール指圧器を提供する。
【０００９】
請求項２の考案は、前記球体は、直径が７５ｍｍ以上かつ８５ｍｍ未満となるよう形成したことを特徴とする請求項１記載のボール指圧器を提供する。
【００１０】
請求項３の考案は、前記弾性材料は、硬度がＪＩＳ−Ａ規格で４０度以上かつ５０度未満である弾性材料からなることを特徴とする請求項１記載のボール指圧器を提供する。
【００１１】
請求項４の考案は、前記球体は、直径が７５ｍｍ以上かつ８５ｍｍ未満となるよう形成し、かつ、前記弾性材料は、硬度がＪＩＳ−Ａ規格で４０度以上かつ５０度未満である弾性材料からなることを特徴とする請求項１記載のボール指圧器を提供する。
【００１２】
請求項５の考案は、前記弾性材料は、ウレタンゴムであることを特徴とする請求項１〜３のいずれか１項に記載のボール指圧器を提供する。
【００１３】
請求項６の考案は、前記ウレタンゴムは、変性ポリオールを主剤及び調整剤とし、硬化剤としてＭＤＩプレポリマーを混合したことを特徴とする請求項５に記載のボール指圧器を提供する。
【００１４】
請求項７の考案は、前記台座は、前記凹部の外周縁から台座の下部へ向かって緩やかに下る曲面をなす山型形状であることを特徴とする請求項１〜６のいずれか１項に記載のボール指圧器を提供する。
【考案の効果】
【００１５】
請求項１の考案によれば、請求項１の考案は、弾性材料からなる球体と、上面に凹部を有する台座とからなり、前記球体を前記台座の凹部に着脱自在に嵌合し球体の一部を台座より突出させる。この構成によれば、球体が台座に着脱自在に嵌合されることから、使用者は指圧部位に合わせて、球体を台座に嵌合した状態と、取り外した状態を選択的に使い分けることができ、利便性が増す。例えば、背中を指圧する場合、球体を台座に嵌合した状態で使用すれば、球体を指圧部位に当接するための位置調整が容易となる。また太腿の裏を指圧する場合、球体を台座から取り外し、球体を床面と太腿の裏で挟み体重をかけながら前後に指圧位置をずらすことで、高い指圧効果が得られる。
【００１６】
請求項２の考案によれば、請求項１記載のボール指圧器において、前記球体が、直径が７５ｍｍ以上かつ８５ｍｍ未満となるよう形成する。すると、前記球体を指圧部位に押圧することにより、おおよそ三指圧（人差し指、中指、薬指を合わせた指紋部での指圧）に相当する面積を押圧でき、指圧効果が高い。これは、太腿や腰、背中等の指圧する場合に、特に好適である。
【００１７】
請求項３の考案によれば、請求項１記載のボール指圧器において、前記弾性材料は、弾性材料の硬度がＪＩＳ−Ａ規格で４０度以上かつ５０度未満であることを特徴とする。すると、球体の押圧時に適度な反発力が得られる。その結果、押圧による球体の変形を最小限に止めるため、押圧力が減殺されず指圧効果を発揮される。また、弾性材料の適度な反発力により、指圧部位の痛みや腫れを防止できる。すると、体重をかけて指圧部位を押圧しても、痛みを伴わず快圧が得られる。
【００１８】
請求項４の考案によれば、請求項１記載のボール指圧器において、前記球体が、直径が７５ｍｍ以上かつ８５ｍｍ未満として球体の指圧に適した大きさに形成することよって、優れた指圧効果を実現できる。上記構成に加え、前記弾性材料は、硬度がＪＩＳ−Ａ規格で４０度以上かつ５０度未満である弾性材料からなることから、太腿、腰、背中等をボールに体重をかけて指圧するような場合でも、弾性材料の適度な反発力により、指圧部位の痛みや腫れを防止できる。
【００１９】
請求項５の考案によれば、項１〜３のいずれか１項に記載のボール指圧器において、前記弾性材料は、ウレタンゴムであることを特徴とするため、弾性が良く、耐摩耗性にも優れたボール指圧器が提供される。また、弾性材料を硬度４０〜５０度程度のゴムを製造する場合、ウレタンゴムは、シリコンゴムよりも安価であるため、製造コストが低減される。
【００２０】
請求項６の考案によれば、請求項５に記載のボール指圧器において、前記ウレタンゴムは、変性ポリオールを主剤及び調整剤とし、硬化剤としてＭＤＩプレポリマーを混合したことを特徴とする。この構成によれば、真空注型により、引き裂き強度等に優れたウレタンゴムの生成が可能であるため、更に高品質なボール指圧器を提供できる。
【００２１】
請求項７の考案によれば、請求項１〜６のいずれか１項に記載のボール指圧器において、前記台座は、前記凹部の外周縁から台座の下部へ向かって緩やかに下る曲面をなす山型形状であることを特徴とする。
【００２２】
この構成によれば、前記凹部の外周縁から台座の下部へ向かって緩やかに下る曲面をなすため、体の曲線になじみ、球体を台座に嵌合した状態で球体による指圧がしやすくなる。また、台座以外の部分に体が接触しても、痛みを生じないため、ボール指圧器に体重をかけやすくなり、自身の体重により押圧力を調整しやすくなる。すると、ボール指圧器の利便性が向上する。
【００２３】
また、球体を取り外した状態でも、体重を乗せて背中や腰に台座を押圧することで、背中や腰のストレッチ効果が得られる。
【図面の簡単な説明】
【００２４】
【図１】本考案の好ましい実施の態様にかかるボール指圧器の平面図である。
【図２】球体１単体での使用状態を示す説明図である。
【図３】台座２単体での使用状態を示す説明図である。
【考案を実施するための形態】
【００２５】
本考案の実施の形態を図に基づいて説明する。
図１では、弾性材料からなる球体１が、台座２に着脱自在に嵌合されたものである。球体１の一部は台座２より突出しており、この突出した部分を押し当てることにより指圧を行う。具体的には、使用者はボール指圧器上に寝転がった体勢や座った体勢で、首、背中、太腿、腰等あらゆる部位に球体１を押し当て、指圧効果を得ることができる。特に、太腿や腰、背中等の指圧に適している。
【００２６】
また、球体１を台座２の凹部２ａに着脱自在に嵌合することから、使用者は、球体１単体でも、台座２単体でも使用することができる。球体１を台座２に嵌合した状態で使用する場合、球体１の位置が固定されるため、指圧位置の調節が難しい背中等の指圧に適する。球体１単体では、球体１を身体に当接して押圧しながら転がすように使用して、指圧部位をずらすことができるため、太腿の裏等の指圧に適する。台座２単体では、台座２を山型形状等に形成することで、背中や腰のストレッチに使用できる。
【００２７】
ここで、弾性材料は、柔らかすぎると指圧効果が発揮されず、硬すぎると指圧部位の痛みや腫れの原因となる。したがって、押圧時に大きく変形せず、かつ、適度な反発力を有することが必要であるため、ゴムで形成されている。ゴムの硬度としては、ＪＩＳ−Ａ規格で４０度以上かつ５０度未満が適度な反発力を有し好適である。更に、材質はウレタンゴムが好適である。ウレタンゴムは、弾性が良く、耐摩耗性にも優れるためである。更に、ウレタンゴムは、変性ポリオールを主剤及び調整剤とし、硬化剤としてＭＤＩプレポリマーを混合することが望ましい。この構成によれば、真空注型により、引き裂き強度等に優れたウレタンゴムの生成が可能であり、更に高品質なボール指圧器を提供できるためである。なお、４０度以上かつ５０度未満のゴムとしてシリコンゴムも採用できるが、ウレタンゴムの方が、低コストで製造できるメリットがある。
【００２８】
また、球体１の大きさは、直径が７５ｍｍ以上かつ８５ｍｍ未満が好適である。すると、前記球体を指圧部位に押圧することにより、おおよそ三指圧に相当する面積を押圧でき、一人でも高い指圧効果が得られる。これは、太腿や腰、背中等を指圧する場合に、特に好適である。
【００２９】
ここで、施術者が太腿や腰、背中等を指圧する場合は、圧点を両母指圧（左右の両手の母子を合わせた指紋部での指圧）すると指圧効果が高い。しかし、太腿や腰、背中等を一人で指圧用の球体１を使用して指圧する場合、球体１が両母指圧程度の狭い指圧面積であると、適切な圧点を押圧することは難しい。更に、太腿や腰、背中等は圧点が他の部位と比較して分かりにくい。したがって、球体１を使用して一人で指圧する場合、両母指圧の指圧面積よりやや広い三指圧程度の指圧面積が好適である。
【００３０】
詳細には、球体１の直径が７５ｍｍ以上とすることで、圧点が指圧しやすくなり、かつ、直径を８５ｍｍ未満とすることで、指圧面積を広げすぎることによる押圧力の分散を防止し、その結果、押圧時に指圧効果が減殺されることを防止できる。
【００３１】
台座２は、前記台座は、前記凹部２ａの外周縁から台座の下部へ向かって緩やかに下る曲面をなす山型形状である。この形状により、使用者がボール指圧器上に寝転がった場合等に、台座２が指圧部位以外を曲面に沿って適度に支えるため、使用感が良い。更に、台座２の緩やかに下る曲面によって、台座２以外の部分に体が接触しても、痛みを生じないため、ボール指圧器に体重をかけやすくなり、自身の体重により押圧力を調整しやすい。これにより、ボール指圧器の利便性が向上する。台座２の材質は、金属、ゴム、木など様々なものを採用できる。なお、球体１と同様、ゴムが好適である。
【００３２】
図２は、球体１単体で使用例であり、使用者は球体１を太腿の裏と床に挟むことで、太腿の裏を押圧して指圧する。この使用例では、太腿の裏で球体１を押圧しながら太腿の位置を前後にずらして、球体１を転がすように指圧することで、指圧部位をずらしながら効率よく高い指圧効果を得ることができる。
【００３３】
図３は、台座２単体での使用例であり、使用者は台座２を背中に当接して仰向けになり体重をかけることにより、台座２の山型形状に沿って、背中が押圧され筋肉のストレッチ効果が得られる。背中の他、腰等にも同様に使用できる。
【符号の説明】
【００３４】
１  球体
２  台座
２ａ  凹部
【図１】
0003197434.tif 000003
【図２】
0003197434.tif 000004
【図３】
0003197434.tif 000005